(57)【要約】【課題】強度が不足する部分が生じ難いコーナーパットを提供すること。【解決手段】コーナーパットは、貫通孔を有するシート部材と、前記シート部材のうち、前記貫通孔から見て一方の側に設けられ、前記貫通孔の縁の一部に沿う折り返し部とを備える。前記折り返し部は、前記縁の一部に沿って前記シート部材に形成された切れ目と、前記切れ目における一方の端部から前記縁まで前記シート部材に形成された第１折り目と、前記切れ目における反対の端部から前記縁まで前記シート部材に形成され、前記第１折り目と同一直線上にある第２折り目と、前記縁とにより囲まれた部分である。前記折り返し部を、前記第１折り目及び前記第２折り目で折り返したとき、前記折り返し部の少なくとも一部は、前記シート部材のうち、前記貫通孔から見て前記一方とは反対側の部分と重畳する。【選択図】図１
2020001727.tif 000002
【特許請求の範囲】
【請求項１】
貫通孔を有するシート部材と、
前記シート部材のうち、前記貫通孔から見て一方の側に設けられ、前記貫通孔の縁の一部に沿う折り返し部と、
を備え、
前記折り返し部は、前記縁の一部に沿って前記シート部材に形成された切れ目と、前記切れ目における一方の端部から前記縁まで前記シート部材に形成された第１折り目と、前記切れ目における反対の端部から前記縁まで前記シート部材に形成され、前記第１折り目と同一直線上にある第２折り目と、前記縁とにより囲まれた部分であり、
前記折り返し部を、前記第１折り目及び前記第２折り目で折り返したとき、前記折り返し部の少なくとも一部は、前記シート部材のうち、前記貫通孔から見て前記一方とは反対側の部分と重畳するように構成されたコーナーパット。
【請求項２】
貫通孔を有するシート部材と、
前記シート部材のうち、前記貫通孔から見て一方の側に設けられ、前記貫通孔の外周方向に沿って並ぶ複数の折り返し部と、
を備え、
前記複数の折り返し部は、それぞれ、前記貫通孔の縁の一部に沿って前記シート部材に形成された切れ目と、前記切れ目における一方の端部から内側の境界まで前記シート部材に形成された第１折り目と、前記切れ目における反対の端部から前記内側の境界まで前記シート部材に形成され、前記第１折り目と同一直線上にある第２折り目と、前記内側の境界とにより囲まれた部分であり、
前記内側の境界は、前記折り返し部が、前記縁と接するものである場合は、前記縁であり、それ以外の場合は、内周方向にある隣接した前記切れ目であり、
前記複数の折り返し部は、それぞれ、前記第１折り目及び前記第２折り目で折り返したとき、前記折り返し部の少なくとも一部が、前記シート部材のうち、前記貫通孔から見て前記一方とは反対側の部分と重畳するように構成されたコーナーパット。
【請求項３】
請求項１又は２に記載のコーナーパットであって、
前記貫通孔から見て、前記折り返し部よりもさらに外周側に設けられた外周側折り返し部をさらに備え、
前記外周側折り返し部は、前記シート部材の外縁と、前記外縁上の第１起点から前記切れ目まで形成された第１外周側折り目と、前記外縁上の第２起点から前記切れ目まで延び、前記第１外周側折り目と同一直線上にある第２外周側折り目と、前記切れ目とにより囲まれた部分であり、
前記外周側折り返し部を、前記第１外周側折り目及び前記第２外周側折り目で折り返したとき、前記外周側折り返し部の少なくとも一部は、前記シート部材のうち、前記貫通孔から見て前記一方とは反対側の部分と重畳するように構成されたコーナーパット。
【請求項４】
請求項１〜３のいずれか１項に記載のコーナーパットであって、
前記シート部材は複数の前記貫通孔を有し、
それぞれの前記貫通孔について、前記折り返し部が前記シート部材に設けられているコーナーパット。
【請求項５】
請求項４に記載のコーナーパットであって、
隣接する前記貫通孔同士の間に前記折り返し部を備えるコーナーパット。
【請求項６】
請求項１〜４のいずれか１項に記載のコーナーパットであって、
前記シート部材は段ボールから成り、
前記一方とは反対側の部分における段目の方向と、折り返された前記折り返し部における段目の方向とが交差するコーナーパット。
【発明の詳細な説明】
【技術分野】
【０００１】
本開示はコーナーパットに関する。
【背景技術】
【０００２】
製品を梱包するとき、製品を保護するために、外装箱と製品との間に緩衝材が入れられる。緩衝材として、コーナーパットがある。コーナーパットは、外装箱のコーナー部分に用いられる（特許文献１参照）。
【先行技術文献】
【特許文献】
【０００３】
【特許文献１】実公平０２−００１２６４号公報
【発明の概要】
【発明が解決しようとする課題】
【０００４】
以下のようにしてコーナーパットを製造することが考えられる。まず、段ボールから成るシートを用意する。このシートの形態は、中央に貫通孔を有する枠形状である。次に、シートの四辺それぞれにおいて、内側の部分を折り返し、外側の部分に重ねることで、コーナーパットを製造する。製造されたコーナーパットは、４辺のそれぞれにおいて、段ボールが重ねられた部分を有する。そのため、段ボールを重ねない場合に比べて強度が高い。
【０００５】
しかしながら、上記のコーナーパットの製造方法では、コーナーパットのうち、コーナーの部分において段ボールを重ねることができない。その結果、コーナーの部分の強度が不足する。本開示の一局面は、強度が不足する部分が生じ難いコーナーパットを提供することを目的とする。
【課題を解決するための手段】
【０００６】
本開示の一局面は、貫通孔を有するシート部材と、前記シート部材のうち、前記貫通孔から見て一方の側に設けられ、前記貫通孔の縁の一部に沿う折り返し部と、を備え、前記折り返し部は、前記縁の一部に沿って前記シート部材に形成された切れ目と、前記切れ目における一方の端部から前記縁まで前記シート部材に形成された第１折り目と、前記切れ目における反対の端部から前記縁まで前記シート部材に形成され、前記第１折り目と同一直線上にある第２折り目と、前記縁とにより囲まれた部分であり、前記折り返し部を、前記第１折り目及び前記第２折り目で折り返したとき、前記折り返し部の少なくとも一部は、前記シート部材のうち、前記貫通孔から見て前記一方とは反対側の部分と重畳するように構成されたコーナーパットである。
【０００７】
本開示の一局面であるコーナーパットによれば、前記反対側の部分に対し、広い範囲にわたって折り返し部を重ねることができる。そのため、本開示の一局面であるコーナーパットでは、強度が不足する部分が生じ難い。
【０００８】
本開示の別の局面は、貫通孔を有するシート部材と、前記シート部材のうち、前記貫通孔から見て一方の側に設けられ、前記貫通孔の外周方向に沿って並ぶ複数の折り返し部と、を備え、前記複数の折り返し部は、それぞれ、前記貫通孔の縁の一部に沿って前記シート部材に形成された切れ目と、前記切れ目における一方の端部から内側の境界まで前記シート部材に形成された第１折り目と、前記切れ目における反対の端部から前記内側の境界まで前記シート部材に形成され、前記第１折り目と同一直線上にある第２折り目と、前記内側の境界とにより囲まれた部分であり、前記内側の境界は、前記折り返し部が、前記縁と接するものである場合は、前記縁であり、それ以外の場合は、内周方向にある隣接した前記切れ目であり、前記複数の折り返し部は、それぞれ、前記第１折り目及び前記第２折り目で折り返したとき、前記折り返し部の少なくとも一部が、前記シート部材のうち、前記貫通孔から見て前記一方とは反対側の部分と重畳するように構成されたコーナーパットである。
【０００９】
本開示の別の局面であるコーナーパットによれば、前記反対側の部分に対し、広い範囲にわたって複数の折り返し部を重ねることができる。そのため、本開示の別の局面であるコーナーパットでは、強度が不足する部分が生じ難い。
【図面の簡単な説明】
【００１０】
【図１】コーナーパット１の構成を表す斜視図である。
【図２】折り返し部１１を折り返した状態にあるコーナーパット１の構成を表す斜視図である。
【図３】折り返し部１１及び外周側折り返し部２１を折り返した状態にあるコーナーパット１の構成を表す斜視図である。
【図４】コーナーパット１０１の構成を表す斜視図である。
【図５】一部の折り返し部１１を折り返した状態にあるコーナーパット１０１の構成を表す斜視図である。
【図６】折り返し部１１、３９を折り返した状態にあるコーナーパット１０１の構成を表す斜視図である。
【図７】全ての折り返し部１１、３９を折り返した状態にあるコーナーパット１０１の構成を表す斜視図である。
【図８】コーナーパット２０１の構成を表す斜視図である。
【図９】一部の折り返し部１１を折り返した状態にあるコーナーパット２０１の構成を表す斜視図である。
【図１０】一部の折り返し部１１、３９を折り返した状態にあるコーナーパット２０１の構成を表す斜視図である。
【図１１】一部の折り返し部１１、３９、４７を折り返した状態にあるコーナーパット２０１の構成を表す斜視図である。
【図１２】全ての折り返し部１１、３９、４７を折り返した状態にあるコーナーパット２０１の構成を表す斜視図である。
【図１３】コーナーパット３０１の構成を表す斜視図である。
【図１４】一部の折り返し部１１、５５、５７を折り返した状態にあるコーナーパット３０１の構成を表す斜視図である。
【図１５】全ての折り返し部１１、５５、５７を折り返した状態にあるコーナーパット３０１の構成を表す斜視図である。
【図１６】コーナーパット４０１の構成を表す斜視図である。
【図１７】一部の折り返し部１１、６９、７１を折り返した状態にあるコーナーパット４０１の構成を表す斜視図である。
【図１８】全ての折り返し部１１、６９、７１を折り返した状態にあるコーナーパット４０１の構成を表す斜視図である。
【発明を実施するための形態】
【００１１】
本開示の例示的な実施形態を、図面を参照しながら説明する。
＜第１実施形態＞
１．コーナーパット１の構成
コーナーパット１の構成を、図１〜図３に基づき説明する。コーナーパット１は、貫通孔３を有するシート部材５を備える。シート部材５の形状は、平面視において正方形である。シート部材５の材質は段ボールである。貫通孔３の形状は正方形である。貫通孔３の縁７を構成する各辺７Ａ〜７Ｄは、シート部材５の外縁９を構成する各辺と平行であるか直交する。
【００１２】
コーナーパット１は、折り返し部１１を備える。図１に示すように、折り返し部１１は、貫通孔３から見て、一方の側に設けられている。折り返し部１１は、辺７Ａ及び辺７Ｂに沿っている。辺７Ａ及び辺７Ｂは縁７の一部である。
【００１３】
折り返し部１１は、切れ目１３と、第１折り目１５と、第２折り目１７と、縁７とにより囲まれた部分である。切れ目１３は、辺７Ａ及び辺７Ｂに沿って形成されている。第１折り目１５は、切れ目１３における一方の端部１３Ａから縁７まで形成されている。第２折り目１７は、切れ目１３における反対の端部１３Ｂから縁７まで形成されている。第２折り目１７は第１折り目１５と同一直線上にある。第１折り目１５及び第２折り目１７は、縁７の対角線と同一直線上にある。
【００１４】
折り返し部１１を、第１折り目１５及び第２折り目１７で折り返したとき、図２に示すように、折り返し部１１は、反対部分１９と重畳する。反対部分１９とは、シート部材５のうち、貫通孔３から見て、折り返されていない状態にある折り返し部１１とは反対側にある部分である。反対部分１９は、辺７Ｃ、７Ｄに沿った略Ｌ字型の部分である。折り返し部１１を折り返したとき、辺７Ａは辺７Ｄと重なり、辺７Ｂは辺７Ｃと重なる。
【００１５】
コーナーパット１は、外周側折り返し部２１をさらに備える。外周側折り返し部２１は、折り返し部１１よりもさらに外周側に設けられている。外周側とは、貫通孔３から遠ざかる方向を意味する。外周側折り返し部２１は、外縁９と、第１外周側折り目２３と、第２外周側折り目２５と、切れ目１３とに囲まれた部分である。
【００１６】
第１外周側折り目２３は、外縁９上の第１起点２７から切れ目１３まで形成されている。第２外周側折り目２５は、外縁９上の第２起点２９から切れ目１３まで形成されている。第１起点２７及び第２起点２９は、外縁９における角に位置する。
【００１７】
第２外周側折り目２５は、第１外周側折り目２３と同一直線上にある。第１外周側折り目２３及び第２外周側折り目２５は、縁７の対角線と平行である。第１外周側折り目２３及び第２外周側折り目２５は、第１折り目１５及び第２折り目１７よりも、辺７Ｃ、７Ｄから離れている。
【００１８】
外周側折り返し部２１を、第１外周側折り目２３及び第２外周側折り目２５で折り返したとき、図３に示すように、外周側折り返し部２１は、折り返し部１１及び反対部分１９と重畳する。なお、重畳とは、平面視において重なって見えることを意味し、必ずしも直接的に接触していなくてもよい。外周側折り返し部２１を折り返したとき、コーナーパット１は、略Ｌ字型の形状となる。
【００１９】
２．コーナーパット１が奏する効果
（１Ａ）コーナーパット１は、例えば、図３に示す状態として、使用することができる。コーナーパット１は、例えば、外装箱のコーナー部分において、外装箱の内面と製品との間に配置される。コーナーパット１は、コーナーの部分も含めて、反対部分１９と折り返し部１１とを重畳することができる。その結果、コーナーパット１は強度が高い。
【００２０】
（１Ｂ）コーナーパット１は、外周側折り返し部２１をさらに備える。外周側折り返し部２１は、折り返すことにより、反対部分１９及び折り返し部１１と重畳する。そのため、コーナーパット１は一層強度が高い。
【００２１】
（１Ｃ）コーナーパット１は段ボールから成る。折り返し部１１及び外周側折り返し部２１を折り返したとき、折り返し部１１及び外周側折り返し部２１の段目の方向と、反対部分１９の段目の方向とは交差する。そのため、折り返し部１１、外周側折り返し部２１、及び反対部分１９を重畳した部分の強度が一層高い。
＜第２実施形態＞
１．コーナーパット１０１の構成
コーナーパット１０１の構成を、図４〜図７に基づき説明する。コーナーパット１０１は４個の貫通孔３１、３３、３５、３７を有するシート部材５を備える。シート部材５の形状は、平面視において正方形である。シート部材５の材質は段ボールである。
【００２２】
貫通孔３１、３３、３５、３７は、それぞれ、コーナーパット１０１の角の付近に配置されている。貫通孔３１、３３、３５、３７は同一の形状を有する。ここでは、貫通孔３１について説明する。貫通孔３１の形状は正方形である。貫通孔３１の縁７を構成する各辺７Ａ〜７Ｄは、シート部材５の外縁９を構成する各辺と平行であるか直交する。
【００２３】
コーナーパット１０１は、貫通孔３１、３３、３５、３７のそれぞれに対応して、複数の折り返し部１１、３９を備える。ここでは、貫通孔３１に対応する折り返し部１１、３９について説明する。貫通孔３３、３５、３７に対応する折り返し部１１、３９も同様の構成を有する。
【００２４】
図４に示すように、折り返し部１１は、貫通孔３１から見て、一方の側に設けられている。折り返し部１１は、辺７Ａ及び辺７Ｂに沿っている。辺７Ａ及び辺７Ｂは縁７の一部である。
折り返し部１１は、切れ目１３と、第１折り目１５と、第２折り目１７と、縁７とにより囲まれた部分である。切れ目１３は、辺７Ａ及び辺７Ｂに沿って形成されている。第１折り目１５は、切れ目１３における一方の端部１３Ａから縁７まで形成されている。第２折り目１７は、切れ目１３における反対の端部１３Ｂから縁７まで形成されている。第２折り目１７は第１折り目１５と同一直線上にある。第１折り目１５及び第２折り目１７は、縁７の対角線と同一直線上にある。折り返し部１１にとって縁７は内側の境界に対応する。
【００２５】
折り返し部１１を、第１折り目１５及び第２折り目１７で折り返したとき、図５に示すように、折り返し部１１は、反対部分１９と重畳する。反対部分１９とは、シート部材５のうち、貫通孔３１から見て、折り返されていない状態にある折り返し部１１とは反対側にある部分である。反対部分１９は、辺７Ｃ、７Ｄに沿った略Ｌ字型の部分である。折り返し部１１を折り返したとき、辺７Ａは辺７Ｄと重なり、辺７Ｂは辺７Ｃと重なる。
【００２６】
折り返し部３９は、折り返し部１１よりもさらに外周側に設けられている。外周側とは、貫通孔３１から遠ざかる方向を意味する。折り返し部３９は、切れ目４１と、第１折り目４３と、第２折り目４５と、切れ目１３とに囲まれた部分である。
【００２７】
切れ目４１は、辺７Ａ及び辺７Ｂに沿って形成されている。切れ目４１は、切れ目１３よりも外周側に形成されている。第１折り目４３は、切れ目４１における一方の端部４１Ａから切れ目１３まで形成されている。第２折り目４５は、切れ目４１における反対の端部４１Ｂから切れ目１３まで形成されている。なお、切れ目１３は、切れ目４１にとって、内周方向に隣接した切れ目に対応する。折り返し部３９にとって切れ目１３は内側の境界に対応する。
【００２８】
第２折り目４５は、第１折り目４３と同一直線上にある。第１折り目４３及び第２折り目４５は、縁７の対角線と平行である。第１折り目４３及び第２折り目４５は、第１折り目１５及び第２折り目１７よりも、辺７Ｃ、７Ｄから離れている。
【００２９】
折り返し部３９を、第１折り目４３及び第２折り目４５で折り返したとき、図６に示すように、折り返し部３９は、折り返し部１１及び反対部分１９と重畳する。なお、重畳とは、平面視において重なって見えることを意味し、必ずしも直接的に接触していなくてもよい。
【００３０】
図４に示すように、貫通孔３１に対応する折り返し部３９は、貫通孔３３に対応する折り返し部３９、及び、貫通孔３７に対応する折り返し部３９と隣接している。また、貫通孔３５に対応する折り返し部３９は、貫通孔３３に対応する折り返し部３９、及び、貫通孔３７に対応する折り返し部３９と隣接している。
【００３１】
貫通孔３１、３３、３５、３７のそれぞれに対応する折り返し部１１、３９を全て折り返したとき、図７に示すように、コーナーパット１０１は枠形状となる。
２．コーナーパット１０１が奏する効果
（２Ａ）コーナーパット１０１は、例えば、図７に示す状態として、使用することができる。コーナーパット１０１は、コーナーの部分も含めて、反対部分１９と折り返し部１１、３９とを重畳することができる。その結果、コーナーパット１０１は強度が高い。
【００３２】
（２Ｂ）コーナーパット１０１は段ボールから成る。折り返し部１１、３９を折り返したとき、折り返し部１１、３９の段目の方向と、反対部分１９の段目の方向とは交差する。そのため、折り返し部１１、３９、及び反対部分１９を重畳した部分の強度が一層高い。
【００３３】
（２Ｃ）コーナーパット１０１は、複数の貫通孔３１、３３、３５、３７のそれぞれについて、折り返し部１１、３９を備える。そのことにより、コーナーパット１０１の形状を、図７に示すような枠形状とすることができる。
＜第３実施形態＞
１．第２実施形態との相違点
第３実施形態は、基本的な構成は第２実施形態と同様であるため、相違点について以下に説明する。なお、第２実施形態と同じ符号は、同一の構成を示すものであって、先行する説明を参照する。
【００３４】
前述した第２実施形態では、貫通孔３１、３３、３５、３７のそれぞれに対応して、複数の折り返し部１１、３９を備えていた。それに対し、第３実施形態のコーナーパット２０１は、図８に示すように、貫通孔３１、３３、３５、３７のそれぞれに対応して、折り返し部１１、３９に加えて、折り返し部４７をさらに備える点で、第２実施形態と相違する。
【００３５】
折り返し部４７は、折り返し部３９よりもさらに外周側に設けられている。折り返し部４７は、切れ目４９と、第１折り目５１と、第２折り目５３と、切れ目４１とに囲まれた部分である。
切れ目４９は、辺７Ａ及び辺７Ｂに沿って形成されている。切れ目４９は、切れ目４１よりも外周側に形成されている。第１折り目５１は、切れ目４９における一方の端部４９Ａから切れ目４１まで形成されている。第２折り目５３は、切れ目４９における反対の端部４９Ｂから切れ目４１まで形成されている。なお、切れ目４１は、切れ目４９にとって、内周方向に隣接した切れ目に対応する。折り返し部４７にとって切れ目４１は内側の境界に対応する。
【００３６】
第２折り目５３は、第１折り目５１と同一直線上にある。第１折り目５１及び第２折り目５３は、縁７の対角線と平行である。第１折り目５１及び第２折り目５３は、第１折り目４３及び第２折り目４５よりも、辺７Ｃ、７Ｄから離れている。
【００３７】
折り返し部１１を、第１折り目１５及び第２折り目１７で折り返したとき、図９に示すように、折り返し部１１は、反対部分１９と重畳する。折り返し部３９を、第１折り目４３及び第２折り目４５で折り返したとき、図１０に示すように、折り返し部３９は、折り返し部１１及び反対部分１９と重畳する。
【００３８】
折り返し部４７を、第１折り目５１及び第２折り目５３で折り返したとき、図１１に示すように、折り返し部４７は、折り返し部１１、折り返し部３９及び反対部分１９と重畳する。貫通孔３１、３３、３５、３７のそれぞれに対応する折り返し部１１、３９、４７を全て折り返したとき、図１２に示すように、コーナーパット２０１は枠形状となる。
【００３９】
２．コーナーパット２０１が奏する効果
以上詳述した第３実施形態によれば、前述した第２実施形態の効果を奏し、さらに、以下の効果を奏する。
【００４０】
（３Ａ）コーナーパット２０１は、コーナーの部分も含めて、反対部分１９と折り返し部１１、３９、４７とを重畳することができる。その結果、コーナーパット１０１は強度が高い。
＜第４実施形態＞
１．第２実施形態との相違点
第４実施形態は、基本的な構成は第２実施形態と同様であるため、相違点について以下に説明する。なお、第２実施形態と同じ符号は、同一の構成を示すものであって、先行する説明を参照する。
【００４１】
前述した第２実施形態では、貫通孔３１、３３、３５、３７のそれぞれに対応して、複数の折り返し部１１、３９を備えていた。それに対し、第４実施形態のコーナーパット３０１は、図１３に示すように、貫通孔３１、３３、３５、３７のそれぞれに対応して、折り返し部１１は備えるが、折り返し部３９は備えない点で、第２実施形態と相違する。
【００４２】
また、コーナーパット３０１は、貫通孔３１、３３、３５、３７のそれぞれにおいて、折り返し部５５、５７を備える点でも、第２実施形態と相違する。
折り返し部５５は、辺７Ｄに沿って設けられている。折り返し部５５は、辺７Ｄ、折り目５９、切れ目６１、６３で囲まれた部分である。折り目５９は辺７Ｄと平行である。折り返し部５７は、辺７Ｃに沿って設けられている。折り返し部５７は、辺７Ｃ、折り目６５、切れ目６３、６７で囲まれた部分である。折り目６５は辺７Ｃと平行である。
【００４３】
折り返し部１１を、第１折り目１５及び第２折り目１７で折り返したとき、図１４に示すように、折り返し部１１は、反対部分１９と重畳する。
さらに、図１４に示すように、折り返し部５５を折り目５９で折り返すと、折り返し部５５は反対部分１９と重畳する。また、折り返し部５７を折り目６５で折り返すと、折り返し部５７は反対部分１９と重畳する。
【００４４】
貫通孔３１、３３、３５、３７のそれぞれに対応する折り返し部１１、５５、５７を全て折り返したとき、図１５に示すように、コーナーパット３０１は枠形状となる。
２．コーナーパット３０１が奏する効果
以上詳述した第４実施形態によれば、前述した第２実施形態の効果を奏し、さらに、以下の効果を奏する。
【００４５】
（４Ａ）コーナーパット３０１は、折り返し部５５、５７を、反対部分１９に重畳させることができる。その結果、コーナーパット３０１は強度が高い。
＜第５実施形態＞
１．第２実施形態との相違点
第５実施形態は、基本的な構成は第２実施形態と同様であるため、相違点について以下に説明する。なお、第２実施形態と同じ符号は、同一の構成を示すものであって、先行する説明を参照する。
【００４６】
前述した第２実施形態では、貫通孔３１、３３、３５、３７のそれぞれに対応して、複数の折り返し部１１、３９を備えていた。それに対し、第５実施形態のコーナーパット４０１は、図１６に示すように、貫通孔３１、３３、３５、３７のそれぞれに対応して、折り返し部１１は備えるが、折り返し部３９は備えない点で、第２実施形態と相違する。
【００４７】
また、コーナーパット４０１は、貫通孔３１、３３、３５、３７のそれぞれにおいて、折り返し部６９、７１を備える点でも、第２実施形態と相違する。
折り返し部６９は、折り返し部１１の一部である。折り返し部６９は、辺７Ａに沿って設けられている。折り返し部６９は、辺７Ａ、折り目７３、切れ目７５、切れ目７７で囲まれた部分である。折り目７３は辺７Ａと平行である。
【００４８】
折り返し部７１は、折り返し部１１の一部である。折り返し部７１は、辺７Ｂに沿って設けられている。折り返し部７１は、辺７Ｂ、折り目７９、切れ目７７、切れ目８１で囲まれた部分である。折り目７９は辺７Ｂと平行である。なお、切れ目７５、８１は貫通孔３１の一部である。
【００４９】
折り返し部１１を、第１折り目１５及び第２折り目１７で折り返したとき、図１７に示すように、折り返し部１１は、反対部分１９と重畳する。
さらに、図１７に示すように、折り返し部６９を折り目７３で折り返すと、折り返し部６９は反対部分１９と重畳する。また、折り返し部７１を折り目７９で折り返すと、折り返し部７１は反対部分１９と重畳する。
【００５０】
貫通孔３１、３３、３５、３７のそれぞれに対応する折り返し部１１、６９、７１を全て折り返したとき、図１８に示すように、コーナーパット４０１は枠形状となる。
２．コーナーパット４０１が奏する効果
以上詳述した第５実施形態によれば、前述した第２実施形態の効果を奏し、さらに、以下の効果を奏する。
【００５１】
（５Ａ）コーナーパット４０１は、折り返し部６９、７１を、反対部分１９に重畳させることができる。その結果、コーナーパット４０１は強度が高い。
＜他の実施形態＞
以上、本開示の実施形態について説明したが、本開示は上述の実施形態に限定されることなく、種々変形して実施することができる。
【００５２】
（１）コーナーパットの材質は段ボール以外の材質であってもよい。
（２）第１実施形態のコーナーパット１は、図２に示す形態で使用してもよい。この場合、第１外周側折り目２３及び第２外周側折り目２５は設けなくてもよい。
【００５３】
（３）第１実施形態において、折り返し部１１と外周側折り返し部２１との間に、さらに、１以上の折り返し部を設けてもよい。
（４）第２〜第５実施形態において、貫通孔の外周方向に沿って並ぶ折り返し部の数は適宜設定することができ、例えば、１、２、３、４、５、６、７、８・・・・等とすることができる。
【００５４】
（５）第１実施形態のコーナーパット１が、第４実施形態における折り返し部５５、５７を備えていてもよい。また、第１実施形態のコーナーパット１が、第５実施形態における折り返し部６９、７１を備えていてもよい。
（６）貫通孔３、３１、３３、３５、３７の形状は正方形以外の形状であってもよく、例えば、円形、楕円形、菱形、正六角形、正八角形等であってもよい。
（７）第２〜第５実施形態において、シート部材５の形状は、平面視において、正方形以外の形状でもよい。正方形以外の形状として、例えば、長方形等が挙げられる。
【００５５】
（８）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００５６】
（９）上述したコーナーパットの他、当該コーナーパットを構成要素とするシステム、コーナーパットの製造方法、製品の梱包方法、製品の輸送方法等、種々の形態で本開示を実現することもできる。
【符号の説明】
【００５７】
１、１０１、２０１、３０１、４０１…コーナーパット、３、３１、３３、３５、３７…貫通孔、５…シート部材、７…縁、７Ａ、７Ｂ、７Ｃ、７Ｄ…辺、９…外縁、１１、３９、４７、５５、５７、６９、７１…折り返し部、１３、４１、４９…切れ目、１３Ａ、４１Ａ、４９Ａ…一方の端部、１３Ｂ、４１Ｂ、４９Ｂ…反対の端部、１５、４３、５１…第１折り目、１７、４５、５３…第２折り目、１９…反対部分、２１…外周側折り返し部、２３…第１外周側折り目、２５…第２外周側折り目、２７…第１起点、２９…第２起点
【図１】
2020001727.tif 000003
【図２】
2020001727.tif 000004
【図３】
2020001727.tif 000005
【図４】
2020001727.tif 000006
【図５】
2020001727.tif 000007
【図６】
2020001727.tif 000008
【図７】
2020001727.tif 000009
【図８】
2020001727.tif 000010
【図９】
2020001727.tif 000011
【図１０】
2020001727.tif 000012
【図１１】
2020001727.tif 000013
【図１２】
2020001727.tif 000014
【図１３】
2020001727.tif 000015
【図１４】
2020001727.tif 000016
【図１５】
2020001727.tif 000017
【図１６】
2020001727.tif 000018
【図１７】
2020001727.tif 000019
【図１８】
2020001727.tif 000020